(57)【要約】【課題】再生画像の品質低下をできるだけ生じさせることなく、Ｈ／Ｗ規模を小さくすることができるデジタル放送記録再生装置を提供するする。【解決手段】デジタル放送記録再生装置は、デジタル放送受信部１と蓄積部２とを有し、デジタル放送受信部１の復調／復号部１１は、デジタル放送信号を復調・復号してＴＳデータを生成すると共に、ＴＳデータを構成するＴＳパケットの内の復号エラーを含むものを示す復号エラー信号Ｓｅを生成し、蓄積部２のデータ変換部２３は、データ記録時に、復号エラー信号に基づいてＴＳデータを、例えば、ＴＳパケット単位で加工し、加工されたＴＳデータとＴＳパケットの時間情報を蓄積装置２４に記録し、データ再生時に、蓄積装置２４に記録された時間情報を参照しながら、蓄積装置２４からＴＳデータを再生し、加工されたＴＳデータに生じた不連続期間において任意の不連続処理を実行する。【選択図】図１
2007124445.tif 000002
【特許請求の範囲】
【請求項１】
デジタル放送信号を復調・復号してトランスポートストリームデータを生成すると共に、前記トランスポートストリームデータを構成するトランスポートストリームパケットの内の復号エラーを含むトランスポートストリームパケットを示す復号エラー信号を生成する復調／復号部と、
データ記録時に、前記復号エラー信号に基づいて前記トランスポートストリームデータをトランスポートストリームパケット単位、映像復号用データ単位、又は音声復号用データ単位で加工し、加工された前記トランスポートストリームデータとこのトランスポートストリームデータを構成するトランスポートストリームパケットの時間情報とを蓄積装置に記録し、データ再生時に、前記蓄積装置に記録された前記時間情報を参照しながら、前記蓄積装置から、加工された前記トランスポートストリームデータを再生し、加工された前記トランスポートストリームデータに生じた不連続期間において任意の不連続処理を実行するデータ変換部と
を有することを特徴とするデジタル放送記録再生装置。
【請求項２】
前記トランスポートストリームデータの加工は、前記トランスポートストリームデータの内の復号エラーを含むトランスポートストリームパケット、映像復号用データ、及び音声復号用データのいずれかのデータ単位の削除を含むことを特徴とする請求項１に記載のデジタル放送記録再生装置。
【請求項３】
前記トランスポートストリームデータの加工は、前記トランスポートストリームデータの前記復号エラー信号の数が所定の閾値以上存在する部分の映像復号用データ単位又は音声復号用データ単位の削除を含むことを特徴とする請求項１又は２のいずれかに記載のデジタル放送記録再生装置。
【請求項４】
前記トランスポートストリームデータの加工は、前記トランスポートストリームデータの前記復号エラー信号の数が所定の閾値未満存在する部分のトランスポートストリームパケット単位のエラー情報の付加及び前記エラー情報の前記蓄積装置への記録を含むことを特徴とする請求項３に記載のデジタル放送記録再生装置。
【請求項５】
前記閾値が調整可能であることを特徴とする請求項４に記載のデジタル放送記録再生装置。
【請求項６】
前記映像復号用データ単位は、ＧＯＰ単位であり、
前記音声復号用データ単位は、ＡＡＵ単位である
ことを特徴とする請求項１乃至５のいずれかに記載のデジタル放送記録再生装置。
【請求項７】
前記データ再生時における前記不連続処理は、前記不連続期間の直前の映像の静止画又は予め用意された画像の表示を含むことを特徴とする請求項１乃至６のいずれかに記載のデジタル放送記録再生装置。
【請求項８】
前記データ再生時における前記不連続処理は、前記不連続期間の直前の映像の表示が終了した直後に、前記不連続期間の直後の映像の表示を開始する処理を含むことを特徴とする請求項１乃至６のいずれかに記載のデジタル放送記録再生装置。
【請求項９】
アナログ放送信号を受信するアナログ放送受信部をさらに有し、
前記アナログ放送受信部は、アナログ放送信号の復調した復調信号をデジタル化すると共に、検波状況を外部に示す復調エラー信号を生成する復調部を有し、
前記データ変換部は、アナログ放送データ記録時に、前記復調エラー信号に基づいて音声復号用データ単位でアナログ放送データを加工し、加工された前記アナログ放送データと音声復号用データ単位の時間情報とを前記蓄積装置に記録し、アナログ放送データ再生時に、前記時間情報を参照しながら、前記蓄積装置から、加工された前記アナログ放送データを再生する
ことを特徴とする請求項１乃至８のいずれかに記載のデジタル放送記録再生装置。
【請求項１０】
携帯電話機能を有する通話部をさらに有し、
前記通話部は、音声信号をデジタル化すると共に、音声信号に関する受信エラー信号を生成する通話信号変換部を有し、
前記データ変換部は、音声データ記録時に、前記受信エラー信号に基づいて音声復号用データ単位で音声データを加工し、加工された前記音声データと音声復号用データ単位の時間情報とを前記蓄積装置に記録し、音声データ再生時に、前記時間情報を参照しながら、前記蓄積装置から、加工された前記音声データを再生する
ことを特徴とする請求項１乃至９のいずれかに記載のデジタル放送記録再生装置。
【発明の詳細な説明】
【技術分野】
【０００１】
本発明は、デジタル放送規格の放送信号を受信して蓄積し、蓄積された映像データを再生するデジタル放送記録再生装置に関するものである。
【背景技術】
【０００２】
従来の地上波デジタル放送受信装置として、アンテナで受信した放送波をフロントエンドブロックでトランスポートストリーム（ＴＳ）データに復調・復号し、フロントエンドブロックから出力されたＴＳデータをＣＡ（Ｃｏｎｄｉｔｉｏｎａｌ  Ａｃｃｅｓｓ）デスクランブルし、ＴＳ−ＤＥＭＵＸ（ＴＳデマルチプレックス）した後、ＭＰＥＧデコーダによって映像復号及び音声復号して出力するものがある（例えば、非特許文献１参照）。
【０００３】
このような装置においては、移動により、送信局からの放送波が受信困難なエリアに入り、映像や音声の品位が著しく低下する場合、あるいは映像や音声が一時的に視聴できない状態に陥る場合がある。このため、放送信号の録画再生機能を備え、録画された放送の中で録画状態が悪いと判断された箇所の再生を早める又は除外することができる車載用ＴＶ録画再生装置の提案がある（例えば、特許文献１参照）。
【０００４】
また、放送波が受信できなくなったことによって欠落データが発生した場合に、サーバと通信を確立し、受信できなかった欠落データを内蔵の蓄積部にダウンロードして、受信できなかった部分をカバーすることができる装置の提案もある（例えば、特許文献２参照）。
【０００５】
【特許文献１】特開２００３−２４４５９１号公報（第４−７ページ、図１）
【特許文献２】特開２００４−３０４４９８号公報（第３−４ページ、図１）
【非特許文献１】社団法人電波産業会、ＡＲＩＢ  ＳＴＤ−Ｂ２１（第４ページ、第２−２図）
【発明の開示】
【発明が解決しようとする課題】
【０００６】
上記従来の装置は、放送信号が受信困難で、フロントエンドブロックにて復調・復号したＴＳデータの品質が悪くても、すべてのデータを記録していた。このため、できるだけ小さなハードウェア（Ｈ／Ｗ）構成が望まれる移動体用の装置においても、データの蓄積装置の記憶容量が大きくなってしまい、全体のＨ／Ｗ規模が大きくなってしまうという問題点があった。
【０００７】
そこで、本発明は、上記従来技術の問題点を解決するためになされたものであり、その目的は、再生画像の品質低下をできるだけ生じさせることなく、Ｈ／Ｗ規模を小さくすることができるデジタル放送記録再生装置を提供することである。
【課題を解決するための手段】
【０００８】
本発明のデジタル放送記録再生装置は、デジタル放送信号を復調・復号してトランスポートストリームデータを生成すると共に、前記トランスポートストリームデータを構成するトランスポートストリームパケットの内の復号エラーを含むトランスポートストリームパケットを示す復号エラー信号を生成する復調／復号部と、データ記録時に、前記復号エラー信号に基づいて前記トランスポートストリームデータをトランスポートストリームパケット単位、映像復号用データ単位、又は音声復号用データ単位で加工し、加工された前記トランスポートストリームデータとこのトランスポートストリームデータを構成するトランスポートストリームパケットの時間情報とを蓄積装置に記録し、データ再生時に、前記蓄積装置に記録された前記時間情報を参照しながら、前記蓄積装置から、加工された前記トランスポートストリームデータを再生し、加工された前記トランスポートストリームデータに生じた不連続期間において任意の不連続処理を実行するデータ変換部とを有することを特徴としている。
【発明の効果】
【０００９】
本発明によれば、データ記録時に、復号エラー信号に基づいてトランスポートストリームデータをトランスポートストリームパケット単位、映像復号用データ単位、又は音声復号用データ単位で加工し、加工されたトランスポートストリームデータとこのトランスポートストリームデータを構成するトランスポートストリームパケットの時間情報とを蓄積装置に記録するので、放送信号を記録する蓄積装置の記憶容量を小さくすることが可能になる。
【００１０】
また、データ再生時に、蓄積装置に記録された時間情報を参照しながら、蓄積装置から、加工されたトランスポートストリームデータを再生し、加工されたトランスポートストリームデータに生じた不連続期間において任意の不連続処理を実行するので、不連続期間における画面又は音声をユーザが違和感を覚え難いものに設定できる。
【００１１】
さらに、データ再生時における不連続処理と並行して、不連続期間後の正常トランスポートストリームデータの処理の準備を行うことができるので、正常トランスポートストリームデータの再生開始を早めることができる。
【発明を実施するための最良の形態】
【００１２】
実施の形態１．
図１は、本発明の実施の形態１に係るデジタル放送記録再生装置の構成を示すブロック図である。
【００１３】
図１に示されるように、実施の形態１に係るデジタル放送記録再生装置は、デジタル放送波を受信し、復調・復号することができるデジタル放送受信部１と、デジタル放送の復号データを記録・再生することができる蓄積部２とを有している。デジタル放送受信部１には、復号してアナログ変換された画像信号に基づく画像を表示する、例えば、液晶ディスプレイ等の表示装置５と、復号してアナログ変換された音声信号に基づく音声を出力する、例えば、スピーカ等の音声出力装置とが接続されている。なお、実施の形態１に係るデジタル放送記録再生装置が、放送の記録再生機能を有するテレビ（ＴＶ）システムである場合には、表示装置５及び音声出力装置６は、デジタル放送記録再生装置の一部となる。
【００１４】
また、図１に示されるように、デジタル放送受信部１は、デジタル放送又はデジタル音声放送等の放送波を受信する第１アンテナ（以下単に「アンテナ」とも言う。）１０と、このアンテナ１０によって受信された信号を復調・復号してＴＳデータと復号エラー信号Ｓｅを生成する復調／復号部１１と、第１スイッチ１２と、この第１スイッチ１２から出力される復号されたＴＳデータをデマルチプレクスするデマルチプレクス部（ＤＥＭＵＸ部）１３と、第２スイッチ１４と、第３スイッチ１５と、ＭＰＥＧデコーダ１７と、このＭＰＥＧデコーダ１７で復号された画像データをアナログ信号に変換するＤ／Ａ変換部１８と、ＭＰＥＧデコーダ１７で復号された音声データをアナログ信号に変換するＤ／Ａ変換部１９とを有している。第１スイッチ１２は、復調／復号部１１からのデータをＤＥＭＵＸ部１３及び／又は第３スイッチ１５に出力する機能と、第３スイッチ１５からのデータをＤＥＭＵＸ部１３に出力する機能とを有する。第２スイッチ１４は、ＤＥＭＵＸ部１３からのデータを後段のＭＰＥＧデコーダ１７及び／又は第３スイッチ１５に出力する機能と、第３スイッチ１５からのデータをＭＰＥＧデコーダ１７に出力する機能とを有する。第３スイッチ１５は、データ記録時に、第１スイッチ１２又は第２スイッチ１４のいずれかを選択して、第１スイッチ１２又は第２スイッチ１４のいずれかからのデータを蓄積部２に出力する。また、第３スイッチ１５は、データ再生時に、第１スイッチ１２又は第２スイッチ１４のいずれかを選択して、蓄積部２からのデータを第１スイッチ１２又は第２スイッチ１４のいずれかに出力する。なお、図１においては、アンテナ１０をデジタル放送記録再生装置の一部として記載しているが、アンテナ１０はデジタル放送記録再生装置に接続された外部機器であってもよい。
【００１５】
また、図１に示されるように、蓄積部２は、データ変換部２３と、例えば、半導体記憶装置、ハードディスク装置、又は光ディスク装置等の蓄積装置２４とを有している。データ変換部２３は、デジタル放送受信部１からの復号エラー信号Ｓｅ，Ｓｅｄを参照して、デジタル放送受信部１からのＴＳデータをＴＳパケット単位で加工し、加工されたＴＳデータを蓄積装置２４に出力すると共に、ＴＳパケットの時間情報を蓄積装置２４に出力する機能を持つ。また、データ変換部２３は、蓄積装置２４から読み出されたＴＳデータに対して、蓄積装置２４に記憶されている時間情報を使用してデータ記録時のＴＳレートを再現しながらデータを再生する機能を持つ。なお、図１においては、蓄積装置２４が、デジタル放送記録再生装置の一部として示されているが、蓄積装置２４は必ずしもデジタル放送記録再生装置の一部である必要はなく、蓄積装置２４はデジタル放送記録再生装置に接続された外部機器であってもよい。
【００１６】
次に、図１を参照しながら、実施の形態１に係るデジタル放送記録再生装置の動作を説明する。デジタル放送記録再生装置の動作は、図示しない制御部によって制御される。デジタル放送受信部１のアンテナ１０は、デジタル放送及び／又はデジタル音声放送の放送波を受信する。復調／復号部１１は、アンテナ１０からの受信信号を復調し、各種処理の最後にリードソロモン（ＲＳ）復号を行い、誤り訂正がすべて行われた１８８バイト単位のＴＳパケット（すなわち、ＴＳデータを構成する固定長パケット）を後段に出力する。ＤＥＭＵＸ部１３は、復調／復号部１１から第１スイッチ１２を介して入力されたＴＳデータ中にある、任意の番組だけを選択（すなわち、ＴＳデータ中の一部のＴＳパケットだけを選択）してパーシャルＴＳデータとし、第２スイッチ１４を介してＭＰＥＧデコーダ１７に出力する。ＭＰＥＧデコーダ１７は、ＤＥＭＵＸ部１３からのパーシャルＴＳデータである画像データ及び音声データを復号する。ＭＰＥＧデコーダ１７から出力された画像データ及び音声データはそれぞれＤ／Ａ変換部１８及び１９によってアナログ信号に変換され、表示装置５及び音声出力装置６に出力される。なお、パーシャルＴＳデータを生成する必要がない放送形態の場合には、第１スイッチ１２、ＤＥＭＵＸ部１３、及び第２スイッチ１４の各構成は、省略可能である。
【００１７】
復調／復号部１１におけるＲＳ復号は、１８８バイトのＴＳパケットに１６バイトのパリティデータを付加した２０４バイト単位のパケットデータ単位で行う誤り訂正処理である。ＲＳ復号においては、パケットデータ単位である２０４バイト中、８バイトまでを完全に誤り訂正できる。復調／復号部１１は、誤り訂正後の２０４バイトのデータ中の１８８バイトのＴＳパケットを出力する。ＲＳ復号においては、８バイト以上の誤りがあった場合に、誤り訂正できなかった信号、すなわち、復号エラー信号Ｓｅを、ＴＳパケット単位で出力する。
【００１８】
移動しながら、デジタル放送を受信している場合、受信困難なエリアでは、多くの復号エラーが連続的に発生したり、不連続に時々発生したりする。復号エラーが含まれているＴＳパケットをＭＰＥＧデコーダ１７で復号すると、通常は、正常な復号はされず、ＭＰＥＧデコーダ１７から正常な画像データ及び／又は音声データが出力されない。このため、受信状態が変動する移動受信を行っているとき、復号したＴＳデータをすべて記録したとしても、復号エラー信号Ｓｅで特定されたＴＳパケットは、ＭＰＥＧ復号しても正常な復号結果は得られず、無駄なデータとなってしまう。このように、復号エラーを含むＴＳパケットを蓄積装置２４に記録することは、再生画像の品質向上にほとんど貢献しないデータを記録する動作であり、必要性の低い動作であると言える。
【００１９】
蓄積装置２４に記録するＴＳデータは、復調／復号部１１から出力されるＴＳデータである場合と、ＤＥＭＵＸ部１３でユーザによって任意に選択されたパーシャルＴＳデータである場合とがある。復調／復号部１１から出力されるＴＳデータのＴＳレートは、例えば、現在の地上波デジタル放送の場合には、最大約２４Ｍｂｐｓである。地上波デジタル放送が、ＴＳデータの中に３番組を重畳した放送である場合には、その中の１番組をＤＥＭＵＸ部１３で抜き出してパーシャルＴＳデータとし、そのＴＳレートは約８Ｍｂｐｓ（＝２４Ｍｂｐｓ／３番組）となる。蓄積装置２４に記録するデータを、ＴＳデータ又はパーシャルＴＳデータのいずれにするかの切り換えは、第１乃至第３スイッチ１２，１４，１５によって行われ、記録するデータに応じて蓄積装置２４の記録容量の消費量が異なる。
【００２０】
第３スイッチ１５は、蓄積装置２４にパーシャルＴＳデータを記録する場合には、第２スイッチ１４を選択し、蓄積装置２４にすべてのＴＳデータを記録する場合には、第１スイッチ１２を選択することによって、蓄積装置２４の記憶容量をできるだけ有効に利用している。選択されたＴＳデータは、そのデータと同期した復号エラー信号Ｓｅ又Ｓｅｄと共にデータ変換部２３に入力される。例えば、パーシャルＴＳデータが選択された場合は、パーシャルＴＳデータに対応するように、ＤＥＭＵＸ部１３における処理遅延と同等の遅延量を持つ遅延部１６を通した、復号エラー信号Ｓｅｄがデータ変換部２３に入力され、蓄積部２においては、データ変換部２３で、復号エラー信号Ｓｅｄに該当するＴＳデータを、ＴＳパケット単位で除去して、蓄積装置２４に記録する。
【００２１】
第３スイッチ１５は、蓄積装置２４に記録されたパーシャルＴＳデータを再生する場合には、第２スイッチ１４を選択して蓄積装置２４からの再生ＴＳデータを第２スイッチ１４に出力し、第２スイッチ１４は、入力された再生ＴＳデータをＭＰＥＧデコーダ１７に出力する。第３スイッチ１５は、蓄積装置２４に記録されたＴＳデータ（パーシャルＴＳデータではない）を再生する場合には、第１スイッチ１２を選択して蓄積装置２４からの再生ＴＳデータを第１スイッチ１２に入力し、第１スイッチ１２は、入力された再生ＴＳデータをＤＥＭＵＸ部１３及び第２スイッチ１４を介してＭＰＥＧデコーダ１７に出力する。すなわち、再生時には、第３スイッチ１５は、記録したときと同じ選択をし、第１スイッチ１２又は第２スイッチ１４によって、復調／復号部１１からのデータ又は蓄積部２からのデータを選択し、選択されたＴＳデータをＭＰＥＧデコーダ１７で復号する。
【００２２】
図２（ａ）乃至（ｄ）は、実施の形態１に係るデジタル放送記録再生装置においてＴＳデータをＴＳパケット単位でデータ加工して記録する場合のタイミングチャートであり、（ａ）は、受信ＴＳデータ、その時間情報、及び復号エラー信号を示し、（ｂ）は、記録ＴＳデータ及びその時間情報を示し、（ｃ）は、再生ＴＳデータ、その時間情報、及びＭＰＥＧデコード処理の状態を示し、（ｄ）は、表示装置の表示状態を示している。
【００２３】
図２（ａ）は、受信されたＴＳデータが、ＴＳパケットＴＳ１〜ＴＳ１０を含み、各ＴＳパケットＴＳ１〜ＴＳ１０の先頭入力時間が、Ｔ１〜Ｔ１０であり、ＴＳパケットＴＳ４，ＴＳ５，ＴＳ７に対応する復号エラー信号Ｓｅが生成された場合（すなわち、図２（ａ）の復号エラー信号の波形においてハイレベルの期間）を示している。
【００２４】
図２（ｂ）は、データ変換部２３が、ＴＳパケットＴＳ１〜ＴＳ１０の先頭入力時間Ｔ１〜Ｔ１０をカウントし、復号エラー信号Ｓｅに対応しない（すなわち、削除されていない）ＴＳパケットＴＳ１，ＴＳ２，ＴＳ５，ＴＳ６，ＴＳ８〜ＴＳ１０と、それらの先頭時間Ｔ１，Ｔ２，Ｔ５，Ｔ６，Ｔ８〜Ｔ１０を蓄積装置２４に記録することを示している。このように制御することで、再生時に、正常に使用できないＴＳパケットＴＳ３，ＴＳ４，ＴＳ７を蓄積装置２４に記録しないこととなり、蓄積装置２４の記録容量の使用量を少なくすることができる。図２（ｂ）は、ＴＳデータのうちの、ＴＳパケットＴＳ３，ＴＳ４，ＴＳ７とそれらの時間情報Ｔ３，Ｔ４，Ｔ７を記録しない場合を例示しているが、これは例示に過ぎず、通常は、記録しないＴＳパケット及びその時間情報は、図示の例と異なるＴＳパケットになる。
【００２５】
再生時には、図示しない制御部が、記録した時間情報を基準として、該当ＴＳパケットを出力するように、蓄積装置２４を制御する。例えば、制御部は、時間情報Ｔ１を最初に読込んで直ぐに、ＴＳパケットＴＳ１を出力させ、次に、時間情報Ｔ２を読込んで直ぐに、ＴＳパケットＴＳ２を出力させる。次に、制御部は、読込んだ時間情報がＴ５である場合に、ＴＳパケットＴＳ２の出力が終わった後、ＴＳパケットが２個出力される時間の経過後に、ＴＳパケットＴＳ５を出力させる。このような制御によって、ＴＳパケットＴＳ３，ＴＳ４が蓄積装置２４に記録されていないが、再生時には、ＴＳパケットＴＳ５は時間軸上において記録時（ＴＳパケットＴＳ３，ＴＳ４の削除前）と同一の位置に存在することになり、記録時（ＴＳパケット削除前）のデータレートと再生レートとを同じにすることができる。
【００２６】
図２（ｃ）において、再生ＴＳデータの破線で示されるＴＳパケットの部分は、何も再生されないことになり、この破線部分で示される、破線部分前後のＴＳパケットＴＳ２とＴＳ５の間の不連続期間において、データの連続性が失われることになる。ＭＰＥＧにおいては、データの連続性が失われると、連続性が失われた部分の直後のデータから再デコード処理を実行する必要があるので、不連続期間がある場合には、できるだけ早急に再デコード処理を開始して、正常復号状態にできるだけ早く復帰する必要がある。例えば、図２（ｃ）において、先頭入力時間Ｔ５の時間情報を読込んだ場合には、直ぐにデータを出力できないことが判明し、直ちにＭＰＥＧデコーダ１７の不連続処理を実行するようにスタンバイし、スタンバイ中は、最後の正常画面（図２（ｃ）においては、ＴＳパケットＴＳ２の画面）を静止画として表示するようにして、ＭＰＥＧデコーダ１７における不連続処理のためのスタンバイ期間、及び、正常復号状態への復帰までの期間における表示装置５の表示画面によってユーザが覚える違和感をできるだけ軽減している。
【００２７】
以上のように、実施の形態１においては、復調／復号部１１から出力される復号エラー信号Ｓｅ又は遅延した復号エラー信号Ｓｅｄを参照しながら、入力したＴＳデータに対して、ＴＳパケット単位で、蓄積装置２４に記録する又は記録しない、の判定をＴＳパケット単位で行い、記録するＴＳパケットに対しては、時間情報を付加して蓄積装置２４に記録するようにしている。このため、実施の形態１に係るデジタル放送記録再生装置は、移動によって受信状態が悪くなり、復調／復号部１１で受信誤りを訂正できないエラーが発生した場合、復号エラー信号Ｓｅ，Ｓｅｄに対応するＴＳパケットを記録・再生しても正常な映像を再生できないため、復号エラー信号Ｓｅ，Ｓｅｄに対応するＴＳパケットだけを削除し、エラーが発生していないＴＳパケットだけを時間情報と共に蓄積装置２４に記録するように構成されている。したがって、実施の形態１に係るデジタル放送記録再生装置は、蓄積装置２４における無駄な記録容量の使用を低減することができ、蓄積装置２４として記憶容量の小さくものを選択することができる。
【００２８】
また、再生時には、蓄積装置２４に記録された時間情報に基づいて、記録時のデータレートを再現しつつ、削除したＴＳパケット部分（不連続部分）では、次の正常ＴＳパケットが入力される前に、予めＭＰＥＧデコーダ１７が、直ぐに不連続処理ができるように、スタンバイさせておき、正常ＴＳパケットが入力されたときに、できるだけ早くデコード処理ができるようする。また、正常復号に復帰できるまでは、最後の正常復号した静止画表示するようにしているので、不連続期間で発生する復号異常の画面の乱れ又は異常音声によるユーザの違和感を軽減させることができる。
【００２９】
実施の形態２．
上記実施の形態１においては、復号エラー信号が発生した場合に、ＴＳパケット単位でデータを加工する場合を説明したが、復号エラー信号が発生した場合に、ＴＳデータを画像復号用データ単位又は音声復号用データ単位でデータを加工するように構成してもよい。画像復号用データ単位は、例えば、ＧＯＰ（Ｇｒｏｕｐ  Ｏｆ  Ｐｉｃｔｕｒｅ）単位であり、音声復号用データ単位は、例えば、ＡＡＵ（Ａｕｄｉｏ  Ａｃｃｅｓｓ  Ｕｎｉｔ）単位である。なお、実施の形態２の説明においては、図１をも参照する。
【００３０】
図３（ａ）乃至（ｄ）は、実施の形態２に係るデジタル放送記録再生装置においてＴＳデータをＧＯＰ単位でデータ加工して記録する場合のタイミングチャートであり、（ａ）は、受信ＧＯＰデータ、復号エラー信号、ＧＯＰデータ内のＴＳデータ、その時間情報、及びＴＳパケット単位で描かれた復号エラー信号を示し、（ｂ）は、記録ＴＳデータ及びその時間情報を示し、（ｃ）は、再生方法１における再生ＧＯＰデータ及びＭＰＥＧデコード処理の状態を示し、（ｄ）は、再生方法２における再生ＧＯＰデータ及びＭＰＥＧデコード処理の状態を示している。なお、図３（ａ）乃至（ｄ）において、ＧＯＰｍは、ＧＯＰ番号がｍであるＧＯＰを示す。また、図３（ａ）及び（ｂ）において、ＴＳｍ，ｎは、ＧＯＰｍ内においてＴＳ番号がｎであるＴＳパケットを示す。
【００３１】
ＧＯＰはＭＰＥＧの映像復号用データ単位であり、ＭＰＥＧはこのＧＯＰ単位でデコード可能なシステムとなっている。ＧＯＰには、単独で復号できるクローズドＧＯＰと、一つ前のＧＯＰとリンクしているブロークンＧＯＰとがある。クローズドＧＯＰとブロークンＧＯＰの判別は、ＭＰＥＧのＧＯＰ層のヘッダ情報によって可能である。通常、デコード後の０．５秒程度の表示データが、１ＧＯＰとしてグループ化されている。すなわち、１ＧＯＰは、ＴＳパケットの集合体である。また、ＡＡＵは、ＭＰＥＧ１のレイヤー１，２，３の音声復号用データ単位であり、このＡＡＵ単位毎にＭＰＥＧデコード可能となっている。
【００３２】
図３（ａ）乃至（ｄ）に示される例においては、図３（ａ）の受信データ（拡大）に示されるように、ＧＯＰ３中のＴＳパケットＴＳ３，１とＴＳ３，２に復号エラーが発生した場合、映像復号用データ単位であるＧＯＰ内にエラーが発生している。このため、ＧＯＰ３に該当するすべてのＴＳパケットＴＳ３，０，ＴＳ３，１，…を削除し、図３（ｂ）の記録データに示されるように、復号エラーが全く無いＧＯＰ内に含まれるＴＳパケットだけを、時間情報を付加して蓄積装置２４に記録している。
【００３３】
再生時には、実施の形態１の図２（ｃ）の再生動作と同等な例を、図３（ｃ）に再生方法１として示す。図２（ｃ）に示される再生動作はＴＳパケット単位の再生であるので、復号エラーを含むＴＳパケットの位置によっては、最後の正常復号した画像を、静止画として正しく表示できない可能性がある。これに対し、図３（ｃ）に示される再生方法１は、ＧＯＰ単位の復号であるから、最後の正常復号した画像は、静止画として表示することが可能である。したがって、図３（ｃ）に破線で示す不連続部分（又は、この部分に、ＧＯＰ内における正常復号に復帰するまでの時間を加えた期間）を、正常な静止画で表示することが可能となる。なお、図３（ａ）乃至（ｄ）には示さないが、ＧＯＰ単位の処理に代えて、ＡＡＵ単位の処理を採用してもよい。
【００３４】
図３（ｄ）に示される再生方法２は、特にクローズドＧＯＰの場合の再生方法である。クローズドＧＯＰの場合には、それぞれのＧＯＰは、互いに相関が全く無いため、独立して復号することができる。ＧＯＰ２とＧＯＰ４との間又はＧＯＰ５とＧＯＰ８と間の不連続になっている境界部分においては、ＭＰＥＧ復号の時間軸を再同期するためだけの期間、ＭＰＥＧ復号が正常に行われない可能性がある。このため、その再同期のための期間だけ、ＧＯＰ最後の部分で復号した画像（例えば、ＧＯＰ２の最後の部分の画像又はＧＯＰ５の最後の部分の画像）を静止画として表示すればよく、図３（ｃ）に示される再生方法１に比較して、静止画が表示される時間を短縮することが可能となる。
【００３５】
以上のように、復号エラー信号があった場合、データ変換部２３は、ＭＰＥＧ復号用データ単位であるＧＯＰ単位又はＡＡＵ単位で、データ加工するようにしているので、実施の形態１において説明したＴＳパケット単位のデータ加工と比較して、記録データ削減量が増加し、蓄積装置２４の記憶容量をより有効に使用することが可能となる。
【００３６】
また、再生時には、復号用データ単位での再生となり、ＭＰＥＧ復号が正常になるまでに挿入する静止画の表示時間を短縮することができ、画像や音声の不連続期間においてユーザが覚える違和感を軽減することができる。
【００３７】
なお、実施の形態２において、上記以外の点は、上記実施の形態１の場合と同じである。
【００３８】
実施の形態３．
実施の形態３は、データ変換部２３が、復号エラー信号の発生数と任意の閾値との関係を参照しながら、ＭＰＥＧ復号用データ単位でデータを加工するようにした点が、上記実施の形態２と相違する。なお、実施の形態３の説明においては、図１をも参照する。
【００３９】
図４（ａ）乃至（ｄ）は、実施の形態３に係るデジタル放送記録再生装置においてＴＳデータを閾値を用いて画像復号用データ単位（ＧＯＰ単位）でデータ加工して記録する場合のタイミングチャートであり、（ａ）は、受信ＧＯＰデータ、復号エラー信号、ＧＯＰデータ内のＴＳデータ、その時間情報、及びＴＳパケット単位で描かれた復号エラー信号を示し、（ｂ）は、記録ＴＳデータ及びその時間情報を示し、（ｃ）は、再生方法１における再生ＧＯＰデータ及びＭＰＥＧデコード処理の状態を示し、（ｄ）は、再生方法２における再生ＧＯＰデータ及びＭＰＥＧデコード処理の状態を示している。なお、図４（ａ）乃至（ｄ）において、ＧＯＰｍは、ＧＯＰ番号がｍであるＧＯＰを示す。また、図４（ａ）及び（ｂ）において、ＴＳｍ，ｎは、ＧＯＰｍ内においてＴＳ番号がｎであるＴＳパケットを示す。
【００４０】
復号エラー信号が、ＧＯＰ内でどの程度発生しているかによって、ＭＰＥＧデコードした結果、表示される画像（又は音声）の品位は大きく変わる。ＧＯＰは、画像（ピクチャ）を任意グループ化して構成されていて、一般的に、１５枚程度の画像（ピクチャ）から構成されていることが多く、ＴＳパケットの集合体となっている。
【００４１】
ここで、ＧＯＰ全体のＴＳパケット数をＮＡとし、任意のパラメータＰＡを次式で定義する。
ＰＡ＝ＮＡ／１５
また、ＰＡパケット毎に、復号エラーを含むＴＳパケットの数ＮＰＡを算出する。このとき、ＭＰＥＧ再生画像の品位の判定のために、ＭＰＥＧ再生画像に小さなブロック状のノイズしか出現しない復号エラーの数を閾値ＤＥＴとして用いる。例えば、閾値ＤＥＴをＰＡ／４に設定する。任意の単位時間毎に算出した復号エラーを含むパケットの数ＮＰＡについて、閾値ＤＥＴに対する大小比較を行う。１ＧＯＰ期間内におけるに復号エラーを含むＴＳパケットの数ＮＰＡが閾値ＤＥＴを超えた場合（ＤＥＴ＞ＮＰＡ）には、復号エラーの影響が大きく、復号したＭＰＥＧ再生画像全体に影響を及ぼし、表示品位は著しく低下していると判断し、該当するＧＯＰ内のすべてのＴＳパケットを削除（図４（ａ）乃至（ｄ）中では、ＧＯＰ６及びＧＯＰ７が該当）する。しかし、１ＧＯＰ期間内におけるに復号エラーを含むＴＳパケットの数ＮＰＡが閾値ＤＥＴ以下の場合（ＤＥＴ≦ＮＰＡ）には、復号エラーの影響は小さく、実際に復号したＭＰＥＧ再生画像に対する、エラーの影響は、小さなブロックノイズしか出現しないため、品位の低下は限定的と判断できるため、該当ＧＯＰは、時間情報を付加しながら、すべてのＴＳパケットを記録（復号エラーがある部分は加えて、復号エラー情報も付加）する（図４（ａ）乃至（ｄ）においては、ＧＯＰ３が該当する）。
【００４２】
上記例は、ＤＥＴ＝ＰＡ／４である閾値ＤＥＴを判断基準とした例であり、この閾値ＤＥＴの条件は、例えば、復号エラーがバースト的に発生し、復号エラーを含むＴＳパケットの数ＮＰＡが任意の数ＮＢだけ連続して発生し、復号したＭＰＥＧ再生画像に対して、ある一部分の画像に深刻な品位低下を及ぼす可能性がある条件等も考えられる。
【００４３】
再生時には、図４（ｃ）及び（ｄ）に示される再生方法１及び２を実行することができる。図４（ｃ）及び（ｄ）はそれぞれ、図３（ｃ）及び（ｄ）に対応する再生方法を示している。復号エラーを含むＴＳパケットの数ＮＰＡが閾値ＤＥＴ以下の場合に記録した、エラー情報付のＴＳパケットが含まれるＧＯＰをＭＰＥＧ再生した場合には、該当の画像を表示しているとき、復号エラーがあったことを示す表示を行い、再生画像にノイズ等が出現した原因をユーザに提示することができる。
【００４４】
以上のように、任意の単位期間当たりの積算復号エラー数と、任意の閾値との大小判断を行い、積算復号エラー数が閾値よりも大きいときには、ＧＯＰ内のすべてのＴＳパケットを除去し、閾値以下のときには、エラー情報も付加して記録するようにしているので、ＭＰＥＧ再生画像の品位低下の許容量を任意に設定でき、記録したデータをＭＰＥＧ再生するとき、ユーザの再生画像品位の許容範囲内にて視聴することが可能となる。
【００４５】
また、任意の単位期間当たりの積算復号エラー数と任意の閾値との大小判断の結果に基づいて、再生画像にノイズが発生している原因が、移動受信による影響であるのかを判断した結果を表示することも可能であり、ユーザは、再生画像にノイズがある原因が、機器の再生部の故障なのか、それとも移動受信による影響なのかを判断することが可能になる。
【００４６】
次に、ＭＰＥＧデコーダ１７が画像と音声の両方、又は画像のみ、又は音声のみを復号しているとき、データ変換部２３は、ＭＰＥＧデコーダ１７の復号内容によって、閾値ＤＥＴの値を変更し、入力した復号エラー信号の発生数と、閾値数との関係を参照しながら、ＭＰＥＧ復号用データ単位にてデータを加工するようにした場合の例を説明する。一般的に、視覚と聴覚では、視覚の方がより敏感に違いを認識することが可能と考えられている。このため、ＭＰＥＧデコーダ１７が画像と音声の両方を復号しているときには、データ変換部２３は、画像に対する閾値ＤＥＴと復号エラーを含むＴＳパケットの数ＮＰＡの関係を使用し、ＭＰＥＧ復号用データ単位におけるデータの加工を行い、蓄積装置２４に加工済みデータを記録する。一方、ＭＰＥＧデコーダ１７が音声のみを復号しているときには、視覚よりも鈍感に認識するため、音声に対する閾値ＤＥＴと復号エラーを含むＴＳパケットの数ＮＰＡの関係は、画像と比較して、より復号エラーが多い状態でも、記録可能と判断することができる。
【００４７】
以上のように、閾値ＤＥＴの値を、任意の個数分持ち、ＭＰＥＧデコーダ１７の復号内容によって、任意の個数から選択できるようにしているので、ＭＰＥＧデコーダ１７の復号内容にかかわらず、最も適切な閾値ＤＥＴと復号エラーを含むＴＳパケットの数ＮＰＡの関係で、データ加工できるため、どのようなデジタル放送を受信しても、自動で最適な記録データ量に制御することができる。
【００４８】
なお、実施の形態３において、上記以外の点は、上記実施の形態１又は２の場合と同じである。
【００４９】
実施の形態４．
上記実施の形態１乃至３においては、デジタル放送の受信状態が悪いデータを蓄積装置２４に記録しない場合を説明した。これに対し、実施の形態４においては、デジタル放送以外に、アナログ放送を受信し、アナログ放送の受信状態が悪い部分（エラー期間）を削除して、蓄積装置２４における記録容量の使用量を削減している。
【００５０】
図５は、本発明の実施の形態４に係るデジタル放送記録再生装置の構成を示すブロック図である。図５において、図１の構成と同一又は対応する構成には、同じ符号を付す。図５に示されるように、実施の形態４に係るデジタル放送記録再生装置は、デジタル放送受信部１と、蓄積部２と、例えば、ＦＭ／ＡＭ音声アナログ放送を受信するアナログ放送受信部３とを有している。アナログ放送受信部３は、アナログ放送を受信する第２アンテナ３０と、受信したアナログ放送を復調し、復調が正常に行えなかった部分が有るときには、復調エラー信号Ｓａｅを発生させ、復調した信号をデジタルデータに変換して出力する復調部３１と、入力した復調エラー信号とデジタル信号から、任意のデータを符号化／復号化することができる音声コーデック部３２と、音声コーデック部３２から出力されたデジタルデータをアナログ信号に変換して出力するＤ／Ａ変換器３３とを有している。蓄積部２は、第４スイッチ２５を有し、この第４スイッチ２５は、デジタル放送受信データ及びアナログ放送受信データを時分割に切り換えることができる。
【００５１】
図６（ａ）及び（ｂ）は、実施の形態４に係るデジタル放送記録再生装置において放送信号を閾値を用いて音声復号用データ単位でデータ加工して記録する場合のタイミングチャートであり、（ａ）は、閾値を用いて音声復号用データ単位でデータ加工して記録する場合の復調デジタルデータ、復調エラー信号、加工後の復調デジタルデータ、及び符号化後のデジタルデータを示し、（ｂ）は、音声復号用データ単位でデータ加工して記録されたデータを再生する場合の再生データ及びデコード処理の状態を示している。なお、図６（ａ）及び（ｂ）において、ＡＤｘは、パケット番号がｘである音声復号用データパケットを示す。また、図６（ａ）において、ＡＵＴｘは、単位番号がｘである符号化後の音声復号用データを示す。
【００５２】
次に、実施の形態４に係るデジタル放送記録再生装置の動作を説明する。第２アンテナ３０で受信したアナログ放送は、復調部３１で復調され、アナログデータとなった後に、デジタルデータ化され出力される。復調されるときには、正常に復調されなかった期間が発生すると、同時に復調エラー信号Ｓａｅも発生させ、デジタルデータと同期させて、後段の音声コーデック部３２に出力する。
【００５３】
任意の期間をＴａｎａとし、復調エラー発生期間をＴｅｒｒとし、任意の閾値をＤＥＴａｎａとしたときに、任意の期間Ｔａｎａ中の復調エラー発生期間Ｔｅｒｒが、任意の閾値ＤＥＴａｎａより大きいか否かによって、音声コーデック部３２における音声エンコード方法を変更する。復調エラー発生期間Ｔｅｒｒが閾値ＤＥＴａｎａ以下の場合（ＤＥＴａｎａ≦Ｔｅｒｒ）には、復調エラー信号に該当する復調データが、音声コーデック部３２で符号化する復号音声単位（図６におけるＡＵＴｘ）に対する影響が小さい場合と判断する。一方、復調エラー発生期間Ｔｅｒｒが閾値ＤＥＴａｎａより大きい場合（ＤＥＴａｎａ＞Ｔｅｒｒ）には、音声コーデック部３２で符号化する復号音声単位（図６におけるＡＵＴｘ）に対する影響が大きい場合（すなわち、再生時復号化した場合に異音が支配的になる）と判断する。
【００５４】
図６（ａ）及び（ｂ）に示されるように、音声復号用データ単位であるデータパケットＡＤ２は、ＤＥＴａｎａ＞Ｔｅｒｒの場合に該当し、データパケットＡＤ３は、復調エラーがあるがＤＥＴａｎａ≦Ｔｅｒｒの場合に該当するため、音声コーデック部３２では、音声復号用データ単位であるデータパケットＡＤ２だけ無音データに変換し、音声復号用データ単位に符号化していき、符号化後は、復号音声単位ＡＵＴ１〜ＡＵＴ４の符号化データが出力される。復号音声単位ＡＵＴ３の符号化では、直前の音声復号用データ単位であるデータパケットが無音として、符号化されるか、又は、直前の音声復号用データ単位であるデータパケットがＡＵＴ１として符号化されるかのいずれかを選択する。すなわち、選択する基準は、符号化したデータを、復号化してアナログ音声とした場合に、音声のつなぎに違和感が少ない方を選択する。符号化された復号音声単位データは、復号音声単位で時間情報とエラー情報を付加して、第４スイッチ２５に出力する。
【００５５】
第４スイッチ２５は、デジタル放送受信部１からのデータと、音声コーデック部３２からのデータとを時分割で選択し、選択されたデータが、デジタル放送受信部１からのデータの場合には、データ変換部２３は所定のデータ加工を加え、選択されたデータが音声コーデック部３２からのデータの場合には、データ変換部２３は、データ加工をせずに通過するだけで、蓄積装置２４に記録される。
【００５６】
再生時には、蓄積装置２４からの再生データは、デジタル放送受信データの場合には、データ変換部２３にて、所定の処理を行い、第４スイッチ２６経由でデジタル放送受信部１にデータを出力する。アナログ音声受信データを再生する場合には、実施の形態１と同様に、データ変換部２３にて、記録されている時間情報を使用し、記録時のレートを再現しつつ、記録されているエラー情報も抽出する。抽出されたエラー情報は、音声復号した場合にノイズになる部分が含まれている情報となるため、表示装置５又はユーザに視覚的に提示できるような装置に出力し、視覚的に音声復号時のノイズ原因が、移動受信したために発生した復調エラーと言うことをユーザに提示する。
【００５７】
第４スイッチ２５を通して、音声コーデック部３２に再生アナログ音声受信データが入力され、音声復号された音声デジタルデータは、Ｄ／Ａ変換器３３でアナログ出力に変換され、音声出力装置６に出力される。
【００５８】
以上のように、アナログ音声受信時も、復調エラー信号によって、符号化するデータ量を最適に制御し、且つ、デジタル放送受信部１からのデータとアナログ放送受信部３からのデータを、時分割にスイッチして選択できるようにしているので、両受信システムからの符号化（圧縮）データを時分割に蓄積装置に記録でき、かつ、記録データ量を最適に制御できるため、少ない記憶容量で、同時にデジタル／アナログの両放送を記録／再生することができる。
【００５９】
また、アナログ音声受信データ再生時、記録時に付加した復調エラー信号を抽出し表示することで、再生音声にノイズがあった場合、その原因が、移動受信したために発生した復調エラーであることをユーザに提示する構成を採用することによって、ユーザは、ノイズの原因が、機器の故障ではなく受信復調エラーと即時に判断できる。
【００６０】
なお、実施の形態４において、上記以外の点は、上記実施の形態１乃至３のいずれかの場合と同じである。
【００６１】
実施の形態５．
上記実施の形態４においては、アナログ放送を受信したときも、復調エラー信号を参照しながら、記録データを最適に制御し、デジタル放送受信データとアナログ放送受信データの両方を時分割に記録し、デジタル放送受信データ及びアナログ放送受信データを再生可能にしていた。これに対し、実施の形態５においては、デジタル放送受信データ、アナログ放送受信データに加えて、携帯電話の通話データを記録することができ、携帯電話の通話データの受信エラー信号に応じて、最適に制御しながらデジタル放送受信データ、アナログ放送受信データ、及び携帯電話の通話データを記録できる形態を説明する。
【００６２】
図７は、本発明の実施の形態５に係るデジタル放送記録再生装置の構成を示すブロック図である。図７において、図５の構成と同一又は対応する構成には、同じ符号を付す。図７に示されるように、実施の形態５に係るデジタル放送記録再生装置は、デジタル放送受信部１と、蓄積部２と、アナログ放送受信部３と、ハンズフリー通話部４とを有している。実施の形態５に係るデジタル放送記録再生装置は、例えば、携帯電話である。ハンズフリー通話部４を用いることによって、ユーザは、携帯電話を直接持たずに、携帯電話を置いたまま通話することができる。ハンズフリー通話部４は、音声を入力することができるマイク４０と、携帯電話からの音声や、マイク入力の音声をデジタルデータに変換可能で、かつ、受信エラー信号を生成することができるハンズフリー変換部４１と、音声デジタルデータを、受信エラー信号を参照しながら加工して、音声符号化／復号化ができる音声コーデック部４２と、デジタル音声信号をアナログ音声信号に変換するＤ／Ａ変換部４３とを有している。蓄積部２は、第５スイッチ２６を有し、この第５スイッチ２６は、デジタル放送受信データ、アナログ放送受信データ、及びハンズフリー通話部４からのデータを時分割に切り換えることができる。
【００６３】
次に、実施の形態５に係るデジタル放送記録再生装置の動作について説明する。携帯電話にて受信したデータと、マイク４０にて入力された音声データは、ハンズフリー変換部４１に入力し、デジタル音声データに変換される。また、ハンズフリー変換部４１は、携帯電話の受信感度を示す受信感度信号を入力でき、この信号が感度不良を示しているときに、受信エラー信号Ｓｈｅを発生することができ、マイク４０からの音声入力、又は携帯電話からの音声入力（通話音声）が、任意の時間無かった場合も受信エラー信号Ｓｈｅを発生することができる。
【００６４】
ハンズフリー変換部４１から発生した、デジタル音声データと受信エラー信号Ｓｈｅを音声コーデック部４２に入力し、実施の形態４で説明した図６と同様の処理を行い、通話音声データ量を最適に制御しながら、音声符号化（圧縮）を行う。
【００６５】
第５スイッチ２６は、デジタル放送受信部１からのデータと、アナログ放送受信部３からのデータと、音声コーデック部４２からのデータとを時分割で選択し、選択されたデータが、デジタル放送受信部１からのデータである場合には、データ変換部２３は所定のデータ加工を加え、選択されたデータが、アナログ放送受信部３からのデータ又は音声コーデック部４２からのデータである場合には、データ変換部２３は、データを加工せずに通過させるだけで、蓄積装置２４に記録される。
【００６６】
再生時には、蓄積装置２４からの再生データがデジタル放送受信データの場合には、データ変換部２３にて、所定の処理を行い、第５スイッチ２６経由でデジタル放送受信部１にデータを出力する。蓄積装置２４からの再生データが通話音声データの場合には、実施の形態４で説明したアナログ音声受信データの場合と同じ処理を行い、エラー情報が抽出された場合には、表示装置５又は、ユーザに視覚的に提示できるような装置に出力し、視覚的に音声復号時のノイズ原因が、移動受信したために発生した復調エラーであるということを示す表示内容をユーザに提示する。
【００６７】
第５スイッチ２６を通して、音声コーデック部４２に再生アナログ音声受信データが入力され、音声復号された音声デジタルデータは、Ｄ／Ａ変換器４３でアナログ出力に変換され、音声出力装置６に出力される。
【００６８】
以上のように、ハンズフリー通話部４において通話音声も、受信エラー信号によって、符号化するデータ量を最適に制御しながら、デジタル放送受信部１からのデータと、アナログ放送受信部３からのデータと、ハンズフリー変換部４からのデータとを、時分割に切り換えて選択できるようにしているので、３つのシステムからの符号化（圧縮）データを、時分割に蓄積装置２４に記録でき、かつ、各システムの記録データ量を最適に制御できるため、少ない記憶容量で、同時にデジタル／アナログの両放送と通話音声を記録／再生することができる。
【００６９】
また、通話音声データ再生時、記録時に付加した受信エラー信号を抽出し表示することで、再生音声にノイズがあった場合、その原因が、移動受信したために発生した受信エラーと言うことをユーザに提示できるので、ユーザは、ノイズの原因が、機器の故障ではなく移動受信によるエラーと即時に判断できる。
【００７０】
なお、実施の形態５において、上記以外の点は、上記実施の形態１乃至４のいずれかの場合と同じである。
【００７１】
また、以上に説明したデジタル放送記録再生装置は、特に、移動体によって放送波を受信する場合に好適であるが、例えば、放送波を安定して受信することが困難なエリアにおいて当該放送波を受信する場合にも好適なものである。
【図面の簡単な説明】
【００７２】
【図１】本発明の実施の形態１乃至３に係るデジタル放送記録再生装置の構成を示すブロック図である。
【図２】（ａ）乃至（ｄ）は、実施の形態１に係るデジタル放送記録再生装置においてＴＳデータをＴＳパケット単位でデータ加工して記録する場合のタイミングチャートであり、（ａ）は、受信ＴＳデータ、その時間情報、及び復号エラー信号を示し、（ｂ）は、記録ＴＳデータ及びその時間情報を示し、（ｃ）は、再生ＴＳデータ、その時間情報、及びＭＰＥＧデコード処理の状態を示し、（ｄ）は、表示装置の表示状態を示している。
【図３】（ａ）乃至（ｄ）は、実施の形態２に係るデジタル放送記録再生装置においてＴＳデータを画像復号用データ単位（ＧＯＰ単位）でデータ加工して記録する場合のタイミングチャートであり、（ａ）は、受信ＧＯＰデータ、復号エラー信号、ＧＯＰデータ内のＴＳデータ、その時間情報、及びＴＳパケット単位で描かれた復号エラー信号を示し、（ｂ）は、記録ＴＳデータ及びその時間情報を示し、（ｃ）は、再生方法１における再生ＧＯＰデータ及びＭＰＥＧデコード処理の状態を示し、（ｄ）は、再生方法２における再生ＧＯＰデータ及びＭＰＥＧデコード処理の状態を示している。
【図４】（ａ）乃至（ｄ）は、実施の形態３に係るデジタル放送記録再生装置においてＴＳデータを閾値を用いて画像復号用データ単位（ＧＯＰ単位）でデータ加工して記録する場合のタイミングチャートであり、（ａ）は、受信ＧＯＰデータ、復号エラー信号、ＧＯＰデータ内のＴＳデータ、その時間情報、及びＴＳパケット単位で描かれた復号エラー信号を示し、（ｂ）は、記録ＴＳデータ及びその時間情報を示し、（ｃ）は、再生方法１における再生ＧＯＰデータ及びＭＰＥＧデコード処理の状態を示し、（ｄ）は、再生方法２における再生ＧＯＰデータ及びＭＰＥＧデコード処理の状態を示している。
【図５】本発明の実施の形態４に係るデジタル放送記録再生装置の構成を示すブロック図である。
【図６】（ａ）及び（ｂ）は、実施の形態４に係るデジタル放送記録再生装置において放送信号を閾値を用いて音声復号用データ単位でデータ加工して記録する場合のタイミングチャートであり、（ａ）は、閾値を用いて音声復号用データ単位でデータ加工して記録する場合の復調デジタルデータ、復調エラー信号、加工後の復調デジタルデータ、及び符号化後のデジタルデータを示し、（ｂ）は、音声復号用データ単位でデータ加工して記録されたデータを再生する場合の再生データ及びデコード処理の状態を示している。
【図７】本発明の実施の形態５に係るデジタル放送記録再生装置の構成を示すブロック図である。
【符号の説明】
【００７３】
１  デジタル放送受信部、  ２  蓄積部、  ３  アナログ放送受信部、  ４  ハンズフリー通話部、  ５  表示装置、  ６  音声出力装置、  １０  アンテナ（第１アンテナ）、  １１  復調／復号部、  １２  第１スイッチ、  １３  デマルチフレクス部（ＤＥＭＵＸ部）、  １４  第２スイッチ、  １５  第３スイッチ、  １６  遅延部、  １７  ＭＰＥＧデコーダ、  １８  Ｄ／Ａ変換部、  １９  Ｄ／Ａ変換部、  ２３  データ変換部、  ２４  蓄積装置、  ２５  第４スイッチ、  ２６  第５スイッチ、  ３０  第２アンテナ、  ３１  復調部、  ３２  音声コーデック部、  ３３  Ｄ／Ａ変換部、  ４０  マイク、  ４１  ハンズフリー変換部、  ４２  音声コーデック部、  ４３  Ｄ／Ａ変換部。
【図１】
2007124445.tif 000003
【図２】
2007124445.tif 000004
【図３】
2007124445.tif 000005
【図４】
2007124445.tif 000006
【図５】
2007124445.tif 000007
【図６】
2007124445.tif 000008
【図７】
2007124445.tif 000009